(57)【要約】【課題】メディア表面に着弾した溶剤インク滴から蒸発してインクジェットヘッド下面に結露して付着する揮発性物質を除去するための、インクジェットヘッド下面からのインク揮発性物質除去機構を提供する。【解決手段】インクジェットヘッド３０下面に並ぶノズル３２から噴射されてプラテン２０上に搭載されたメディア１０表面に着弾したインク滴中から蒸発して、インクジェットヘッド３０下面に結露して付着する揮発性物質を、インクジェットヘッド３０がプラテン２０上に搭載されたメディア１０のプリント領域上方からその外部に搬出された際に、そのインクジェットヘッド３０下面から、揮発性物質除去手段１００を用いて、空気により吹き飛ばす等して除去する。【選択図】        図１
2005014560.tif 000002
【特許請求の範囲】
【請求項１】
プラテン上方をプラテン表面とほぼ平行なＸ−Ｙ方向に相対的に移動させるインクジェットヘッド下面に並ぶノズルから噴射させて、プラテン上に搭載されたメディア表面に着弾させるインク滴により、複数のインクのドットの配列からなる絵図又は／及び文字をプリントするインクジェットプリンタにおいて、
前記インクジェットヘッド下面に並ぶノズルから噴射されてプラテン上に搭載されたメディア表面に着弾したインク滴中から蒸発して、インクジェットヘッド下面に結露して付着する揮発性物質を、インクジェットヘッドがプラテン上に搭載されたメディアのプリント領域上方からその外部に搬出された際に、そのインクジェットヘッド下面から除去する揮発性物質除去手段が備えられたことを特徴とするインクジェットプリンタのインクジェットヘッド下面からのインク揮発性物質除去機構。
【請求項２】
前記揮発性物質除去手段が、プラテン上に搭載されたメディアのプリント領域上方からその外部に搬出されたインクジェットヘッド下面に空気を吹き付けて、そのインクジェットヘッド下面に付着した揮発性物質を、インクジェットヘッド下面から空気により吹き飛ばして除去する、空気吹き付け手段からなることを特徴とする請求項１記載のインクジェットプリンタのインクジェットヘッド下面からのインク揮発性物質除去機構。
【請求項３】
前記揮発性物質除去手段が、プラテン上に搭載されたメディアのプリント領域上方からその外部に搬出されたインクジェットヘッド下面に付着した揮発性物質を、そのインクジェットヘッド周辺の空気と共に、インクジェットヘッドから離れた箇所に吸引して除去する、吸引手段からなることを特徴とする請求項１記載のインクジェットプリンタのインクジェットヘッド下面からのインク揮発性物質除去機構。
【請求項４】
前記揮発性物質除去手段が、プラテン上に搭載されたメディアのプリント領域上方からその外部に搬出されたインクジェットヘッド下面をワイピングして、そのインクジェットヘッド下面に付着した揮発性物質を、インクジェットヘッド下面からぬぐい取って除去する、ワイピング手段からなることを特徴とする請求項１記載のインクジェットプリンタのインクジェットヘッド下面からのインク揮発性物質除去機構。
【発明の詳細な説明】
【０００１】
【発明の属する技術分野】
本発明は、メディア表面に着弾したインク滴中から蒸発して、インクジェットヘッド下面に結露して付着する揮発性物質を除去するための、インクジェットプリンタのインクジェットヘッド下面からのインク揮発性物質除去機構（以下、単にインク揮発性物質除去機構という）に関する。
【０００２】
【従来の技術】
図４に示したような、プラテン２０上方をプラテン２０表面とほぼ平行なＸ−Ｙ方向（図４の左右方向と表裏面方向）に相対的に移動させるインクジェットヘッド３０下面に並ぶノズル３２からインク滴を噴射させて、そのインク滴をプラテン２０上に搭載されたシート等のメディア１０表面にドット状に着弾させる、インクジェットプリンタが周知である。このプリンタによれば、そのプラテン２０上に搭載されたメディア１０表面に、複数のインクのドットの配列からなる絵図又は／及び文字をプリントできる。図４において、４０は、メディア１０をプラテン２０上をＸ方向に移動させるための、移動手段である。
【０００３】
このプリンタには、近時、そのインクジェットヘッド３０に供給するインクに、高揮発性の有機溶剤にインク顔料又はインク染料が溶解されてなる溶剤インクを用いるインクジェットプリンタが開発され、使用されている。
この溶剤インク使用のプリンタにおいては、そのインクジェットヘッド３０下面に並ぶノズル３２から噴射させてプラテン２０上に搭載されたメディア１０表面にドット状に着弾させる溶剤インク滴により、そのメディア１０表面に複数の溶剤インクのドットの配列からなる、耐候性、耐水性に優れた絵図又は／及び文字をプリントできる。
この溶剤インク使用のプリンタにより絵図又は／及び文字がプリントされたメディアは、耐候性、耐水性が要求される屋外広告等に使用される。
【０００４】
このインクジェットヘッド３０下面に並ぶノズルから溶剤インク滴を噴射させるプリンタには、図４に示したように、そのインクジェットヘッド３０の走行経路下方のプラテン２０内側に、そのプラテン２０上に搭載されたメディアをプラテン２０を介して加熱する電熱ヒータ等のメディア加熱手段５０が設けられている。
このメディア加熱手段５０が設けられた有機溶剤インク使用のプリンタによれば、そのインクジェットヘッド３０下面に並ぶノズル３２から噴射されて、その下方のプラテン２０上に搭載されたメディア１０表面に着弾する溶剤インク滴を、プラテン２０内側のメディア加熱手段５０によりメディア１０と共に強制的に加熱して、そのインク滴に含まれる浸透性の高い有機溶剤を素早く蒸発させることができる。そして、そのメディア１０表面に着弾した溶剤インク滴を素早く乾燥させて、そのインク滴がその着弾箇所周囲のメディア１０に広く浸透するのを、防ぐことができる。そして、そのメディア１０表面にぼやけた大径のインクのドットが形成されるのを防いで、そのメディア１０表面に、小径のインクのドットを的確に形成できる。そして、そのメディア１０表面に複数の小径の溶剤インクのドットの配列からなる、ぼやけた箇所や滲みのないシャープで鮮明な絵図又は／及び文字をプリントできる。
【０００５】
【発明が解決しようとする課題】
しかしながら、上記のような、プラテン２０内側にメディア加熱手段５０が設けられたインクジェットプリンタにおいては、そのメディア加熱手段５０によりメディア１０と共に加熱される溶剤インク滴から蒸発して、その上方のインクジェットヘッド３０周辺にミスト状になって浮遊して滞留する有機溶剤等の揮発性物質が、大気中に晒されて低温状態にあるインクジェットヘッド３０下面に触れて結露し、そのインクジェットヘッド３０下面に小粒状となって付着した。そして、そのインクジェットヘッド３０下面に小粒状となって付着した揮発性物質が、同じインクジェットヘッド３０下面に並ぶノズル３２からのインク滴の的確な噴射を妨害した。
その結果、そのインクジェットヘッド３０下面のノズル３２から噴射されるインク滴の飛翔奇跡が、正規の方向から偏った方向に曲がってしまったり、そのインクジェットヘッド３０下面のノズル３２からインク滴が、粒状とならずに、細かいミスト状となって噴射されて、そのミスト状に噴射されたインク滴が、その下方のプラテン２０上に搭載されたメディア１０表面にしぶきとなって広く分散して付着し、そのメディア１０表面を広範囲に汚したりした。さらには、そのインクジェットヘッド３０下面のノズル３２からインク滴が的確に噴射されずに、そのメディア１０表面にプリントされる絵図又は／及び文字の一部にインクのドットが存在すべき箇所にインクのドットが存在しないいわゆるドット抜けが生じて、その絵図又は／及び文字に縞模様等が発生した。
また、上記のようにして、インクジェットヘッド３０下面に小粒状となって付着した揮発性物質が寄り集まって大粒状となり、重力作用を受けて、走行中のインクジェットヘッド３０下面から、その下方のプラテン２０上のメディア１０表面にボタ落ちした。そして、その揮発性物質が、メディア１０表面を汚した。
【０００６】
これと同様なことは、図５に示したような、プラテン２０内側にメディア加熱手段５０が設けらていないインクジェットプリンタであって、そのインクジェットヘッド３０下面に並ぶノズル３２から、高揮発性の溶剤等の溶液にインク顔料又はインク染料が溶解されてなる高揮発性インク滴を噴射させて、そのインク滴をインクジェットヘッド３０下方のプラテン２０上に搭載されたメディア１０表面に着弾させた場合にも、生じた。即ち、そのような場合においても、そのメディア１０表面に着弾した高揮発性インク滴から高揮発性の溶剤等が蒸発して、その溶剤等の揮発性物質がインクジェットヘッド３０周辺にミスト状になって浮遊して滞留した。そして、その揮発性物質が大気中に晒されて低温状態にあるインクジェットヘッド３０下面に触れて結露し、そのインクジェットヘッド３０下面に小粒状となって付着した。そして、そのインクジェットヘッド３０下面に小粒状となって付着した揮発性物質が、同じインクジェットヘッド３０下面に並ぶノズル３２からのインク滴の的確な噴射を妨害した。
また、そのインクジェットヘッド３０下面に小粒状となって付着した揮発性物質が寄り集まって大粒状となり、重力作用を受けて、走行中のインクジェットヘッド３０下面から、その下方のプラテン２０上のメディア１０表面にボタ落ちした。そして、その揮発性物質が、メディア１０表面を汚した。
【０００７】
そこで、本発明者は、鋭意研究の結果、このようなインクジェットヘッド３０下面に付着した揮発性物質に妨害されて、インクジェットヘッド３０下面に並ぶノズル３２からインク滴を円滑かつ的確に噴射できなくなったり、そのインクジェットヘッド３０下面に付着した揮発性物質が大粒状となってボタ落ちし、プラテン２０上のメディア１０表面を汚したりするのを防ぐためには、そのインクジェットヘッド３０下面に付着した揮発性物質を、メディア１０表面に絵図又は／及び文字をプリントする途中で、インクジェットヘッド３０をプラテン２０上に搭載されたメディア１０のプリント領域上方からその外部に搬出して、プリントを一時中断した際などに、吹き飛ばしたり拭ったり等して、除去すれば良いことに想到した。そして、そのための、インクジェットヘッド３０下面に付着した揮発性物質を除去するための、揮発性物質除去機構を開発した。
【０００８】
即ち、本発明は、インクジェットプリンタを用いてメディア表面に絵図又は／文字をプリントする途中で、インクジェットヘッドをプラテン上に搭載されたメディアのプリント領域上方からその外部に搬出して、プリントを一時中断した際などに、インクジェットヘッド下面に結露して付着した揮発性物質を除去するための、インクジェットプリンタのインクジェットヘッド下面からのインク揮発性物質除去機構（以下、単にインク揮発性物質除去機構という）を提供することを目的としている。
【０００９】
【課題を解決するための手段】
このような目的を達成するために、本発明のインク揮発性物質除去機構は、
インクジェットプリンタのインクジェットヘッド下面に並ぶノズルから噴射されてプラテン上に搭載されたメディア表面に着弾したインク滴中から蒸発して、インクジェットヘッド下面に結露して付着する揮発性物質を、インクジェットヘッドがプラテン上に搭載されたメディアのプリント領域上方からその外部に搬出された際に、そのインクジェットヘッド下面から除去する揮発性物質除去手段が備えられたことを特徴としている。
【００１０】
このような構成のインク揮発性物質除去機構によれば、インクジェットプリンタを用いて、プラテン上に搭載されたメディア表面に絵図又は／及び文字をプリントする途中で、インクジェットヘッドをプラテン上に搭載されたメディアのプリント領域上方からその外部に搬出して、プリントを一時中断した際などに、メディア表面に着弾したインク滴中から蒸発して、外気中に晒されて低温状態にあるインクジェットヘッド下面で結露し、そのインクジェットヘッド下面に小粒状等に付着した有機溶剤等の揮発性物質を、揮発性物質除去手段により除去できる。そして、次に、インクジェットヘッドをプラテン上に搭載されたメディアのプリント領域上方に戻してプリントを再開した際に、そのインクジェットヘッド下面に従前に付着していた揮発性物質が、そのインクジェットヘッド下面に並ぶノズルからのインク滴の的確な噴射を妨害したり、そのインクジェットヘッド下面に従前に付着していた揮発性物質が大粒状となってプラテン上のメディア表面にボタ落ちしたりするのを、防ぐことができる。
また、揮発性物質除去手段は、インクジェットヘッドがプラテン上に搭載されたメディアのプリント領域上方からその外部に搬出された際に動作するように構成されているために、インクジェットヘッドをプラテン上に搭載されたメディアのプリント領域上方をＸ−Ｙ方向に相対的に移動させて、そのインクジェットヘッドによりメディア表面に複数のインクのドットの配列からなる絵図又は文字をプリントする際には、揮発性物質除去手段が、メディアのプリント領域上方でのインクジェットヘッドの移動を妨害したり、インクジェットヘッド下面に並ぶノズルからのインク滴の噴射を妨害したりする恐れが、ない。
【００１１】
本発明のインク揮発性物質除去機構においては、前記揮発性物質除去手段を、プラテン上に搭載されたメディアのプリント領域上方からその外部に搬出されたインクジェットヘッド下面に空気を吹き付けて、そのインクジェットヘッド下面に付着した揮発性物質を、インクジェットヘッド下面から空気により吹き飛ばして除去する、空気吹き付け手段から構成すると良い。
その場合には、インクジェットプリンタを用いて絵図又は／及び文字をメディア表面にプリントする途中で、インクジェットヘッドをプラテン上に搭載されたメディアのプリント領域上方からその外部に搬出して、プリントを一時中断した際などに、そのインクジェットヘッド下面に付着した有機溶剤等の揮発性物質を、空気吹き付け手段により、インクジェットヘッド下面から空気により吹き飛ばして除去できる。そして、次に、インクジェットヘッドをプラテン上に搭載されたメディアのプリント領域上方に再び戻して、そのインクジェットヘッドによりプリントを再開した際に、そのインクジェットヘッド下面に従前に付着していた揮発性物質が、そのインクジェットヘッド下面に並ぶノズルからのインク滴の的確な噴射を妨害したり、そのインクジェットヘッド下面に従前に付着していた揮発性物質が大粒状となってプラテン上のメディア表面にボタ落ちしたりするのを、防ぐことができる。
【００１２】
本発明のインク揮発性物質除去機構においては、前記揮発性物質除去手段を、プラテン上に搭載されたメディアのプリント領域上方からその外部に搬出されたインクジェットヘッド下面に付着した揮発性物質を、そのインクジェットヘッド周辺の空気と共に、インクジェットヘッドから離れた箇所に吸引して除去する、吸引手段から構成することも、可能である。
その場合には、インクジェットプリンタを用いて絵図又は／及び文字をメディア表面にプリントする途中で、インクジェットヘッドをプラテン上に搭載されたメディアのプリント領域上方からその外部に搬出して、プリントを一時中断した際などに、そのインクジェットヘッド下面に付着した有機溶剤等の揮発性物質を、吸引手段により、インクジェットヘッド周辺の空気と共に、インクジェットヘッドから離れた箇所に吸引して除去できる。そして、次に、インクジェットヘッドをプラテン上に搭載されたメディアのプリント領域上方に再び戻して、そのインクジェットヘッドによりプリントを再開した際に、そのインクジェットヘッド下面に従前に付着していた揮発性物質が、そのインクジェットヘッド下面に並ぶノズルからのインク滴の的確な噴射を妨害したり、そのインクジェットヘッド下面に従前に付着していた揮発性物質が大粒状となってプラテン上のメディア表面にボタ落ちしたりするのを、防ぐことができる。
【００１３】
本発明のインク揮発性物質除去機構においては、前記揮発性物質除去手段を、プラテン上に搭載されたメディアのプリント領域上方からその外部に搬出されたインクジェットヘッド下面をワイピングして、そのインクジェットヘッド下面に付着した揮発性物質を、インクジェットヘッド下面からぬぐい取って除去する、ワイピング手段から構成しても良い。
その場合には、インクジェットプリンタを用いて絵図又は／及び文字をメディア表面にプリントする途中で、インクジェットヘッドをプラテン上に搭載されたメディアのプリント領域上方からその外部に搬出して、プリントを一時中断した際などに、そのインクジェットヘッド下面に付着した有機溶剤等の揮発性物質を、ワイピング手段により、インクジェットヘッド下面からぬぐい取って除去できる。そして、次に、インクジェットヘッドをプラテン上に搭載されたメディアのプリント領域上方に再び戻して、そのインクジェットヘッドによりプリントを再開した際に、そのインクジェットヘッド下面に従前に付着していた揮発性物質が、そのインクジェットヘッド下面に並ぶノズルからのインク滴の的確な噴射を妨害したり、そのインクジェットヘッド下面に従前に付着していた揮発性物質が大粒状となってプラテン上のメディア表面にボタ落ちしたりするのを、防ぐことができる。
【００１４】
【発明の実施の形態】
図１ないし図３は本発明のインク揮発性物質除去機構の好適な実施の形態を示し、図１ないし図３はその概略構造説明図である。以下に、これらのインク揮発性物質除去機構を説明する。
【００１５】
図１ないし図３に示したインク揮発性物質除去機構においては、前述の図４又は図５に示されたような構成のインクジェットプリンタにおいて、そのインクジェットヘッド３０下面に並ぶノズル３２から噴射されてプラテン２０上に搭載されたメディア１０表面に着弾した溶剤インク滴や高揮発性インク滴中から蒸発して、外気に晒されて低温状態にあるインクジェットヘッド下面３４に結露して小粒状等に付着する有機溶剤等の揮発性物質を、インクジェットヘッド３０がプラテン２０上に搭載されたメディア１０のプリント領域上方からその外部に搬出された際に、インクジェットヘッド３０下面から除去する揮発性物質除去手段１００が、プラテン２０上に搭載されるメディア１０の絵図又は／及び文字をプリントするプリント領域上方から外れたプリント領域外部に備えられている。具体的には、その揮発性物質除去手段１００が、メディア１０を搭載するプラテン２０脇部に備えられている。
【００１６】
そして、インクジェットプリンタを用いて、プラテン２０上に搭載されたメディア１０表面に絵図又は／及び文字をプリントする途中で、インクジェットヘッド３０をプラテン２０上に搭載されたメディア１０のプリント領域上方からその外部に搬出して、プリントを一時中断した際などに、そのメディア１０表面に着弾した溶剤インク滴や高揮発性インク滴中から蒸発して、外気中に晒されて低温状態にあるインクジェットヘッド下面３４で結露し、そのインクジェットヘッド下面３４に小粒状等に付着した有機溶剤等の揮発性物質を、プラテン２０脇部に備えられた揮発性物質除去手段１００により除去できるようにしている。そして、その後にプリントを再開した際に、そのインクジェットヘッド下面３４に従前に付着していた揮発性物質が、同じインクジェットヘッド下面３４に並ぶノズル３２からのインク滴の的確な噴射を妨害したり、そのインクジェットヘッド３４下面に従前に付着していた揮発性物質が大粒状となってプラテン２０上のメディア１０表面にボタ落ちしたりするのを、防ぐことができるようにしている。
【００１７】
そのうちの、図１に示したインク揮発性物質除去機構では、前記揮発性物質除去手段１００が、プラテン２０上に搭載されたメディア１０のプリント領域上方からその外部のプラテン２０脇部に搬出されたインクジェットヘッド下面３４に空気を吹き付けて、そのインクジェットヘッド下面３４に付着した揮発性物質を、インクジェットヘッド下面３４から吹き飛ばして除去する、空気吹き付け手段１１０から構成されている。空気吹き付け手段１１０には、送風ファン１１２が用いられている。
そして、インクジェットプリンタを用いて絵図又は／及び文字をメディア１０表面にプリントする途中で、インクジェットヘッド３０をプラテン２０上に搭載されたメディア１０のプリント領域上方からその外部のプラテン２０脇部に搬出して、プリントを一時中断した際などに、そのインクジェットヘッド下面３４に付着した有機溶剤等の揮発性物質を、空気吹き付け手段の送風ファン１１２を回転させて、インクジェットヘッド下面３４から空気により吹き飛ばして除去できるようにしている。そして、次に、インクジェットヘッド３０をプラテン２０上に搭載されたメディア１０のプリント領域上方に再び戻して、そのインクジェットヘッド３０によりプリントを再開した際に、そのインクジェットヘッド下面３４に従前に付着していた揮発性物質が、そのインクジェットヘッド下面３４に並ぶノズル３２からのインク滴の的確な噴射を妨害したり、そのインクジェットヘッド３０下面に従前に付着していた揮発性物質が大粒状となってプラテン２０上のメディア１０表面にボタ落ちしたりするのを、防ぐことができるようにしている。
【００１８】
また、図２に示したインク揮発性物質除去機構では、前記揮発性物質除去手段１００が、プラテン２０上に搭載されたメディア１０のプリント領域上方からその外部のプラテン２０脇部に搬出されたインクジェットヘッド下面３４に付着した揮発性物質を、そのインクジェットヘッド３０周辺の空気と共に、インクジェットヘッド３０から離れた箇所に強力な吸引力で吸引して除去する、吸引手段１２０から構成されている。吸引手段１２０は、その吸入口をインクジェットヘッド３０の搬出方向に向けて、プラテン２０脇部に備えられたダクト１２２と、該ダクト内に配置された吸引ファン１２４とから構成されている。そして、吸引ファン１２４を回転させることにより、ダクト１２２の吸入口近くに搬出されたインクジェットヘッド下面３４に付着した揮発性物質を、ダクト１２２内に強力な吸引力で吸引して除去できるようにしている。
そして、インクジェットプリンタを用いて絵図又は／及び文字をメディア１０表面にプリントする途中で、インクジェットヘッド３０をプラテン２０上に搭載されたメディア１０のプリント領域上方からその外部のプラテン２０脇部に搬出して、プリントを一時中断した際などに、そのインクジェットヘッド下面３４に付着した有機溶剤等の揮発性物質を、吸引手段１２０により、インクジェットヘッド３０周辺の空気と共に、インクジェットヘッド３０から離れた箇所に強力な吸引力で吸引して除去できるようにしている。そして、次に、インクジェットヘッド３０をプラテン２０上に搭載されたメディア１０のプリント領域上方に再び戻して、そのインクジェットヘッド３０によりプリントを再開した際に、そのインクジェットヘッド下面３４に従前に付着していた揮発性物質が、そのインクジェットヘッド下面３４に並ぶノズル３２からのインク滴の的確な噴射を妨害したり、そのインクジェットヘッド３０下面に従前に付着していた揮発性物質が大粒状となってプラテン２０上のメディア１０表面にボタ落ちしたりするのを、防ぐことができるようにしている。
【００１９】
また、図３に示したインク揮発性物質除去機構では、前記揮発性物質除去手段１００が、プラテン２０上に搭載されたメディア１０のプリント領域上方からその外部のプラテン２０脇部に搬出されたインクジェットヘッド下面３４をワイピングして、そのインクジェットヘッド下面３４に付着した揮発性物質を、インクジェットヘッド下面３４からぬぐい取って除去する、ワイピング手段１３０から構成されている。ワイピング手段１３０は、ゴム板１３４から構成されていて、そのゴム板１３４先端により、プラテン２０脇部に搬出されるインクジェットヘッド下面３４をぬぐうことができるようにしている。
そして、インクジェットプリンタを用いて絵図又は／及び文字をメディア１０表面にプリントする途中で、インクジェットヘッド３０をプラテン２０上に搭載されたメディア１０のプリント領域上方からその外部のプラテン２０脇部に搬出して、プリントを一時中断した際などに、そのインクジェットヘッド下面３４に付着した有機溶剤等の揮発性物質を、ワイピング手段１３０により、インクジェットヘッド３０下面からぬぐい取って除去できるようにしている。そして、次に、インクジェットヘッド３０をプラテン２０上に搭載されたメディア１０のプリント領域上方に再び戻して、そのインクジェットヘッド３０によりプリントを再開した際に、そのインクジェットヘッド下面３４に従前に付着していた揮発性物質が、そのインクジェットヘッド下面３４に並ぶノズル３２からのインク滴の的確な噴射を妨害したり、そのインクジェットヘッド３０下面に従前に付着していた揮発性物質が大粒状となってプラテン２０上のメディア１０表面にボタ落ちしたりするのを、防ぐことができるようにしている。
【００２０】
本発明のインク揮発性物質除去機構は、フラットなベッド状をしたプラテン上にメディアを固定した状態で搭載して、そのメディア上方をインクジェットヘッドをプラテン表面とほぼ平行にＸ−Ｙ方向に移動させる、いわゆるフラットベッドタイプのプリンタにも、利用可能である。
【００２１】
【発明の効果】
以上説明したように、本発明のインク揮発性物質除去機構によれば、インクジェットプリンタを用いて、メディア表面に絵図又は／及び文字をプリントする途中で、インクジェットヘッドをプラテン上に搭載されたメディアのプリント領域上方からその外部に搬出して、プリントを一時中断した際などに、そのインクジェットヘッド下面に付着した揮発性物質を、揮発性物質除去手段により除去できる。そして、次に、インクジェットヘッドをプラテン上に搭載されたメディアのプリント領域上方に戻して、そのインクジェットヘッドによりプリントを再開した際に、そのインクジェットヘッド下面に並ぶノズルからのインクの的確な噴射が、インクジェットヘッド下面に従前に付着していた揮発性物質により妨害されたり、そのインクジェットヘッド下面に従前に付着していた揮発性物質が大粒状となってプラテン上のメディア表面にボタ落ちしたりするのを、確実に防ぐことができる。
その結果、そのインクジェットプリンタを用いて、プラテン上に搭載されたメディア表面に、ドット抜けや縞模様や汚れや歪みのない整然とした美麗な、絵図又は／及び文字をプリント可能となる。
また、そのインクジェットヘッド下面に小粒状となって付着した揮発性物質が寄り集まって大粒状となり、走行中のインクジェットヘッド下面から、その下方のプラテン上のメディア表面にボタ落ちして、そのメディア表面を汚すのを的確に防ぐことが可能となる。
【図面の簡単な説明】
【図１】本発明のインク揮発性物質除去機構の概略構造説明図である。
【図２】本発明のインク揮発性物質除去機構の概略構造説明図である。
【図３】本発明のインク揮発性物質除去機構の概略構造説明図である。
【図４】溶剤インクを使用するインクジェットプリンタの概略構造を示す側面断面図である。
【図５】高揮発性インクを使用するインクジェットプリンタの概略構造を示す側面断面図である。
【符号の説明】
１０  メディア
２０  プラテン
３０  インクジェットヘッド
３２  インクジェットヘッド下面に並ぶノズル
３４  インクジェットヘッド下面
５０  メディア加熱手段
１００  揮発性物質除去手段
１１０  空気吹き付け手段
１２０  吸引手段
１３０  ワイピング手段
【図１】
2005014560.tif 000003
【図２】
2005014560.tif 000004
【図３】
2005014560.tif 000005
【図４】
2005014560.tif 000006
【図５】
2005014560.tif 000007